(57)【要約】【課題】間違った宛先に対してデータを送信等することを防止する。【解決手段】ファクシミリ装置１のＣＰＵ１１１は、機能的に、宛先を識別する情報であって、複数の文字からなる宛先識別情報を受け付ける宛先受付部１１１ａ、宛先受付部１１１ａによって、宛先識別情報が受け付けられる度に、受け付けられた宛先識別情報に対応する音声を出力する第１音声出力部１１１ｃ、宛先受付部１１１ａによって、宛先識別情報が受け付けられた後に、所定の処理（ここでは、登録処理又は送信処理）の実行を指示する旨の情報である実行指示情報を受け付ける処理受付部１１１ｄ、及び処理受付部１１１ｄによって実行指示情報が受け付けられた場合に、宛先識別情報に対応する音声を出力する第２音声出力部１１１ｅを備え、ファクシミリ装置１のＲＡＭ１１２は、宛先識別情報と、宛先名情報及び短縮番号情報とを対応付けて格納する宛先情報記憶部１１２ａを備えている。【選択図】図２
2007104196.tif 000002
【特許請求の範囲】
【請求項１】
他の装置に対して通信回線を介してデータを送信可能に接続された通信制御装置であって、
宛先を識別する情報であって、複数の文字からなる宛先識別情報を受け付ける宛先受付手段と、
前記宛先受付手段によって、前記宛先識別情報が受け付けられる度に、受け付けられた宛先識別情報に対応する音声を出力する第１音声出力手段と、
前記宛先受付手段によって、前記宛先識別情報が受け付けられた後に、所定の処理の実行を指示する旨の情報である実行指示情報を受け付ける処理受付手段と、
前記処理受付手段によって前記実行指示情報が受け付けられた場合に、前記宛先識別情報に対応する音声を出力する第２音声出力手段とを備えることを特徴とする通信制御装置。
【請求項２】
前記宛先識別情報と宛先名情報とを対応付けて格納する宛先記憶手段を備え、
前記第２音声出力手段は、前記宛先記憶手段から、前記宛先識別情報に対応する宛先名情報を読み出して、読み出された宛先名情報に対応する音声を出力することを特徴とする請求項１に記載の通信制御装置。
【請求項３】
前記宛先受付手段は、前記宛先識別情報を構成する文字毎に、前記宛先識別情報を受け付け、
前記第１音声出力手段は、前記宛先受付手段によって、前記宛先識別情報を構成する各文字の情報が受け付けられる度に、受け付けられた各文字の情報に対応する音声を出力することを特徴とする請求項１又は２に記載の通信制御装置。
【請求項４】
前記宛先受付手段は、複数の宛先識別情報を受け付け可能に構成され、
前記第１音声出力手段は、前記宛先受付手段によって、１の前記宛先識別情報が受け付けられる度に、受け付けられた宛先識別情報に対応する音声を出力することを特徴とする請求項１〜３のいずれかに記載の通信制御装置。
【請求項５】
前記第２音声出力手段によって出力された音声が、ユーザの所望する前記宛先識別情報と一致していることを確認する旨の確認情報を受け付ける確認受付手段と、
前記確認受付手段によって、前記確認情報が受け付けられた場合に限って、前記所定の処理の実行を許可する実行許可手段とを備えることを特徴とする請求項１〜４のいずれかに記載の通信制御装置。
【請求項６】
前記所定の処理は、前記データの送信であることを特徴とする請求項１〜５のいずれかに記載の通信制御装置。
【請求項７】
前記所定の処理は、前記宛先識別情報の登録であることを特徴とする請求項１〜５のいずれかに記載の通信制御装置。
【請求項８】
前記第１音声出力手段及び第２音声出力手段の少なくとも一方の音声の出力を禁止するか否かを設定する禁止設定手段を備えることを特徴とする請求項１〜７のいずれかに記載の通信制御装置。
【請求項９】
ファクシミリ通信機能を有し、
請求項１〜８のいずれかに記載の通信制御装置を備え、
前記通信回線は、電話回線であり、
前記宛先識別情報は、宛先の電話番号情報であることを特徴とする画像形成装置。
【請求項１０】
インターネットファクシミリ通信機能を有し、
請求項１〜８のいずれかに記載の通信制御装置を備え、
前記通信回線は、インターネットであり、
前記宛先識別情報は、宛先のメールアドレス情報であることを特徴とする画像形成装置。
【発明の詳細な説明】
【技術分野】
【０００１】
本発明は、他の装置と通信回線を介してデータを送信可能に接続された通信制御装置及び画像形成装置に関するものである。
【背景技術】
【０００２】
ファクシミリを送信する場合に、相手先を指定する電話番号のダイヤル操作を誤ると、所望しない相手先へ文書が送信されてしまう場合があり、特に送信する文書が機密文書である場合には、機密事項が漏洩するおそれがある。このダイヤルの誤操作を防止するために、種々の技術が開示されている。
【０００３】
例えば、予めワンタッチダイヤル（又は、短縮番号ダイヤルなど）と対応付けて相手方の電話番号をテーブルに記憶しておくファクシミリ装置が提案されている（例えば、特許文献１参照）。このファクシミリ装置によれば、ダイヤルの誤操作の発生を削減することが可能となる。
【特許文献１】特開２００５−１３００３５号公報
【発明の開示】
【発明が解決しようとする課題】
【０００４】
しかしながら、上記のファクシミリ装置において、相手方の電話番号を記憶させる際に、相手方の電話番号のダイヤル操作において誤操作が発生すると、その電話番号に対応するワンタッチダイヤルが使用される度に、間違った電話番号に対して文書が送信されることになる。
【０００５】
また、ワンタッチダイヤルを操作する際に、誤操作（所望する相手先のワンタッチダイヤルと異なるワンタッチダイヤルを誤って操作すること）が発生すると、やはり、間違った電話番号に対して文書が送信されることになる。
【０００６】
本発明は、上記課題に鑑みてなされたものであり、間違った宛先に対してデータを送信等することを防止することの可能な通信制御装置及び画像形成装置を提供することを目的としている。
【課題を解決するための手段】
【０００７】
上記目的を達成するために、請求項１に記載の通信制御装置は、他の装置に対して通信回線を介してデータを送信可能に接続された通信制御装置であって、宛先を識別する情報であって、複数の文字からなる宛先識別情報を受け付ける宛先受付手段と、前記宛先受付手段によって、前記宛先識別情報が受け付けられる度に、受け付けられた宛先識別情報に対応する音声を出力する第１音声出力手段と、前記宛先受付手段によって、前記宛先識別情報が受け付けられた後に、所定の処理の実行を指示する旨の情報である実行指示情報を受け付ける処理受付手段と、前記処理受付手段によって前記実行指示情報が受け付けられた場合に、前記宛先識別情報に対応する音声を出力する第２音声出力手段とを備えることを特徴としている。
【０００８】
この構成によれば、宛先受付手段によって、宛先を識別する情報であって、複数の文字からなる宛先識別情報が受け付けられ、宛先受付手段によって、宛先識別情報が受け付けられる度に、第１音声出力手段によって、受け付けられた宛先識別情報に対応する音声が出力される。そして、宛先受付手段によって、宛先識別情報が受け付けられた後に、処理受付手段によって、所定の処理の実行を指示する旨の情報である実行指示情報が受け付けられ、処理受付手段によって実行指示情報が受け付けられた場合に、第２音声出力手段によって、宛先識別情報に対応する音声が出力される。
【０００９】
したがって、宛先識別情報が受け付けられる度に、受け付けられた宛先識別情報に対応する音声が出力され、実行指示情報が受け付けられた場合に、宛先識別情報に対応する音声が出力されるため、ユーザは、宛先識別情報を、それに対応する音声によって２回確認することが可能となり、間違った宛先（＝間違った宛先識別情報に対応する宛先）に対して所定の処理を実行する（例えば、データを送信する）ことが効果的に防止される。
【００１０】
請求項２に記載の通信制御装置は、請求項１に記載の通信制御装置において、前記宛先識別情報と宛先名情報とを対応付けて格納する宛先記憶手段を備え、前記第２音声出力手段が、前記宛先記憶手段から、前記宛先識別情報に対応する宛先名情報を読み出して、読み出された宛先名情報に対応する音声を出力することを特徴としている。
【００１１】
この構成によれば、宛先記憶手段に、宛先識別情報と宛先名情報とが対応付けて格納されており、第２音声出力手段によって、宛先記憶手段から、宛先識別情報に対応する宛先名情報が読み出されて、読み出された宛先名情報に対応する音声が出力される。
【００１２】
したがって、実行指示情報が受け付けられた場合に、宛先識別情報に対応する音声に加えて、宛先名情報に対応する音声が出力されるため、ユーザは、宛先識別情報に対応する音声に加えて、宛先名情報に対応する音声によって、宛先を確認することが可能となり、間違った宛先に対して所定の処理を実行する（例えば、データを送信する）ことが更に効果的に防止される。
【００１３】
請求項３に記載の通信制御装置は、請求項１又は２に記載の通信制御装置において、前記宛先受付手段が、前記宛先識別情報を構成する文字毎に、前記宛先識別情報を受け付け、前記第１音声出力手段が、前記宛先受付手段によって、前記宛先識別情報を構成する各文字の情報が受け付けられる度に、受け付けられた各文字の情報に対応する音声を出力することを特徴としている。
【００１４】
この構成によれば、宛先受付手段によって、宛先識別情報を構成する文字毎に、宛先識別情報が受け付けられ、第１音声出力手段によって、宛先受付手段により宛先識別情報を構成する各文字の情報が受け付けられる度に、受け付けられた各文字の情報に対応する音声が出力される。
【００１５】
したがって、宛先識別情報を構成する各文字の情報が受け付けられる度に、受け付けられた各文字の情報に対応する音声が出力されるため、ユーザは、宛先識別情報を構成する文字毎に、宛先を確認することが可能となり、間違った宛先に対して所定の処理を実行する（例えば、データを送信する）ことが更に効果的に防止される。
【００１６】
請求項４に記載の通信制御装置は、請求項１〜３のいずれかに記載の通信制御装置において、前記宛先受付手段が、複数の宛先識別情報を受け付け可能に構成され、前記第１音声出力手段が、前記宛先受付手段によって、１の前記宛先識別情報が受け付けられる度に、受け付けられた宛先識別情報に対応する音声を出力することを特徴としている。
【００１７】
この構成によれば、宛先受付手段によって、複数の宛先識別情報を受け付け可能であり、第１音声出力手段によって、宛先受付手段により１の宛先識別情報が受け付けられる度に、受け付けられた宛先識別情報に対応する音声が出力される。
【００１８】
したがって、１の宛先識別情報が受け付けられる度に、受け付けられた宛先識別情報に対応する音声が出力されるため、複数の宛先識別情報を受け付ける場合（例えば、複数の宛先に同時に同一の画像データを送信する場合等）にも、宛先識別情報毎に宛先を確認することが可能となる。
【００１９】
請求項５に記載の通信制御装置は、請求項１〜４のいずれかに記載の通信制御装置において、前記第２音声出力手段によって出力された音声が、ユーザの所望する前記宛先識別情報と一致していることを確認する旨の確認情報を受け付ける確認受付手段と、前記確認受付手段によって、前記確認情報が受け付けられた場合に限って、前記所定の処理の実行を許可する実行許可手段とを備えることを特徴としている。
【００２０】
この構成によれば、確認受付手段によって、第２音声出力手段により出力された音声が、ユーザの所望する宛先識別情報と一致していることを確認する旨の確認情報が受け付けられ、確認受付手段により確認情報が受け付けられた場合に限って、実行許可手段によって所定の処理の実行が許可される。
【００２１】
したがって、第２音声出力手段により出力された音声がユーザの所望する宛先識別情報と一致していることを確認する旨の確認情報が受け付けられた場合に限って、所定の処理の実行が許可されるため、確認情報が受け付けられるまで所定の処理が実行されないので、間違った宛先に対して所定の処理を実行する（例えば、データを送信する）ことが更に効果的に防止される。
【００２２】
請求項６に記載の通信制御装置は、請求項１〜５のいずれかに記載の通信制御装置において、前記所定の処理が、前記データの送信であることを特徴としている。
【００２３】
この構成によれば、所定の処理がデータの送信であるため、間違った宛先に対してデータを送信することが効果的に防止される。
【００２４】
請求項７に記載の通信制御装置は、請求項１〜５のいずれかに記載の通信制御装置において、前記所定の処理が、前記宛先識別情報の登録であることを特徴としている。
【００２５】
この構成によれば、所定の処理が宛先識別情報の登録であるため、間違った宛先に対応する宛先識別情報が登録されることが効果的に防止される。
【００２６】
請求項８に記載の通信制御装置は、請求項１〜７のいずれかに記載の通信制御装置において、前記第１音声出力手段及び第２音声出力手段の少なくとも一方の音声の出力を禁止するか否かを設定する禁止設定手段を備えることを特徴としている。
【００２７】
この構成によれば、禁止設定手段によって、第１音声出力手段及び第２音声出力手段の少なくとも一方の音声の出力を禁止するか否かが設定される。
【００２８】
したがって、第１音声出力手段及び第２音声出力手段の少なくとも一方の音声の出力を禁止するか否かが設定されるため、利便性が向上される。
【００２９】
請求項９に記載の画像形成装置は、ファクシミリ通信機能を有し、請求項１〜８のいずれかに記載の通信制御装置を備え、前記通信回線が、電話回線であり、前記宛先識別情報が、宛先の電話番号情報であることを特徴としている。
【００３０】
この構成によれば、ファクシミリ通信機能を有する画像形成装置において、電話回線を介して他の装置に対してファクシミリを送信する際に、宛先の電話番号情報を、それに対応する音声によって２回確認することが可能となり、間違った宛先（＝間違った電話番号情報に対応する宛先）に対して所定の処理を実行する（例えば、ファクシミリを送信する）ことが効果的に防止される。
【００３１】
請求項１０に記載の画像形成装置は、インターネットファクシミリ通信機能を有し、請求項１〜８のいずれかに記載の通信制御装置を備え、前記通信回線は、インターネットであり、前記宛先識別情報は、宛先のメールアドレス情報であることを特徴としている。
【００３２】
この構成によれば、インターネットファクシミリ通信機能を有する画像形成装置において、インターネットを介して他の装置に対してインターネットファクシミリを送信する際に、宛先のメールアドレス情報を、それに対応する音声によって２回確認することが可能となり、間違った宛先（＝間違ったメールアドレス情報に対応する宛先）に対して所定の処理を実行する（例えば、インターネットファクシミリを送信する）ことが効果的に防止される。
【発明の効果】
【００３３】
請求項１に記載の通信制御装置によれば、宛先識別情報が受け付けられる度に、受け付けられた宛先識別情報に対応する音声が出力され、実行指示情報が受け付けられた場合に、宛先識別情報に対応する音声が出力されるため、ユーザは、宛先識別情報を、それに対応する音声によって２回確認することが可能となり、間違った宛先（＝間違った宛先識別情報に対応する宛先）に対して所定の処理を実行する（例えば、データを送信する）ことを効果的に防止することができる。
【００３４】
請求項２に記載の通信制御装置によれば、実行指示情報が受け付けられた場合に、宛先識別情報に対応する音声に加えて、宛先名情報に対応する音声が出力されるため、ユーザは、宛先識別情報に対応する音声に加えて、宛先名情報に対応する音声によって、宛先を確認することが可能となり、間違った宛先に対して所定の処理を実行する（例えば、データを送信する）ことを更に効果的に防止することができる。
【００３５】
請求項３に記載の通信制御装置によれば、宛先識別情報を構成する各文字の情報が受け付けられる度に、受け付けられた各文字の情報に対応する音声が出力されるため、ユーザは、宛先識別情報を構成する文字毎に、宛先を確認することが可能となり、間違った宛先に対して所定の処理を実行する（例えば、データを送信する）ことを更に効果的に防止することができる。
【００３６】
請求項４に記載の通信制御装置によれば、１の宛先識別情報が受け付けられる度に、受け付けられた宛先識別情報に対応する音声が出力されるため、複数の宛先識別情報を受け付ける場合（例えば、複数の宛先に同時に同一の画像データを送信する場合等）にも、ユーザは、宛先識別情報毎に宛先を確認することができる。
【００３７】
請求項５に記載の通信制御装置によれば、第２音声出力手段により出力された音声がユーザの所望する宛先識別情報と一致していることを確認する旨の確認情報が受け付けられた場合に限って、所定の処理の実行が許可されるため、確認情報が受け付けられるまで所定の処理が実行されないので、間違った宛先に対して所定の処理を実行する（例えば、データを送信する）ことを更に効果的に防止することができる。
【００３８】
請求項６に記載の通信制御装置によれば、所定の処理がデータの送信であるため、間違った宛先に対してデータを伝送することを効果的に防止することができる。
【００３９】
請求項７に記載の通信制御装置によれば、所定の処理が宛先識別情報の登録であるため、間違った宛先に対応する宛先識別情報が登録されることを効果的に防止することができる。
【００４０】
請求項８に記載の通信制御装置によれば、第１音声出力手段及び第２音声出力手段の少なくとも一方の音声の出力を禁止するか否かが設定されるため、利便性を向上することができる。
【００４１】
請求項９に記載の画像形成装置によれば、ファクシミリ通信機能を有する画像形成装置において、電話回線を介して他の装置に対してファクシミリを送信する際に、宛先の電話番号情報を、それに対応する音声によって２回確認することが可能となり、間違った宛先（＝間違った電話番号情報に対応する宛先）に対して所定の処理を実行する（例えば、ファクシミリを送信する）ことを効果的に防止することができる。
【００４２】
請求項１０に記載の画像形成装置によれば、インターネットファクシミリ通信機能を有する画像形成装置において、インターネットを介して他の装置に対してインターネットファクシミリを送信する際に、ユーザは、宛先のメールアドレス情報を、それに対応する音声によって２回確認することが可能となり、間違った宛先（＝間違ったメールアドレス情報に対応する宛先）に対して所定の処理を実行する（例えば、インターネットファクシミリを送信する）ことを効果的に防止することができる。
【発明を実施するための最良の形態】
【００４３】
以下、本発明に係るファクシミリ装置（画像形成装置の実施形態の一例）について図面に基づき説明する。本発明に係るファクシミリ装置としては、原稿の画像データをファクシミリ通信機能によって送信するものを例に挙げて説明するが、これ以外の通信機能（例えば、インターネットファクシミリ通信機能）により画像データを送信するもの（すなわち、インターネットファクシミリ装置）であっても本発明を適用することは可能である。
【００４４】
図１は、本発明に係るファクシミリ装置の一例を示す構成図である。すなわち、ファクシミリ装置１は、ＣＰＵ（Ｃｅｎｔｒａｌ  Ｐｒｏｃｅｓｓｉｎｇ  Ｕｎｉｔ：中央処理装置）１１１、ＲＡＭ（Ｒａｎｄｏｍ  Ａｃｃｅｓｓ  Ｍｅｍｏｒｙ）１１２、ＲＯＭ（Ｒｅａｄ  Ｏｎｌｙ  Ｍｅｍｏｒｙ）１１３、画像メモリ１１４、モデム１１５、ＮＣＵ（Ｎｅｔｗｏｒｋ  Ｃｏｎｔｒｏｌ  Ｕｎｉｔ）１１６、コーデック（ＣＯＤＥＣ：Ｃｏｄｅｒ  ａｎｄ  Ｄｅｃｏｄｅｒ）１１７、読取部１１８、記録部１１９、操作部１２０、表示部１２１、及びスピーカ１２２（第１音声出力手段の一部、及び、第２音声出力手段の一部に相当する）を備えたものであって、各部１１１〜１２２は、バス１２３を介して通信可能に接続されている。
【００４５】
ＣＰＵ１１１は、ＲＯＭ１１３に格納された制御プログラムに従って、このファクシミリ装置１を構成する各部１１２〜１２２を制御する制御手段として機能する。ＲＡＭ１１２は、ＣＰＵ１１１のワークエリア等として機能する。ＲＯＭ１１３は前記制御プログラムを格納するものである。画像メモリ１１４は、送受信した画像データ、読取部１１８で読み取った画像データ等を蓄積するものである。
【００４６】
モデム１１５は、例えばＩＴＵ−Ｔ（国際電気通信連合）の勧告Ｖ．３４規格又はこれと同様のものに従った送受信データの変調及び復調を行うものである。ＮＣＵ１１６は、電話回線（通信回線の一例）を制御して電話をかけたり、切ったりする回線網制御装置であって、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆交換電話網）２１を介して、Ｇ３ファクシミリ装置２２（他の装置に相当する）と通信可能に接続されている。コーデック１１７は、画像データの符号化及び復号を行うものである。すなわち、読取部１１８により読み取った原稿の画像データを送信のためにＭＨ、ＭＲ方式等により符号化し、外部から受信した画像データを復号するものである。
【００４７】
読取部１１８は、原稿の画像データを読み取るものであり、例えば、ＣＣＤカラーラインセンサ、Ａ／Ｄコンバータ、画像処理回路等で構成されている。記録部１１９は、受信した画像データ等を記録紙上に画像形成処理（印刷処理）を行うものであり、例えば電子写真方式のものが適用される。操作部１２０は、ユーザが情報を入力するテンキー等の入力キー、タッチパネル等から構成され、ユーザによる各種の入力操作は、この操作部１２０を介して行われる。表示部１２１は、例えば操作部１２０に並設されたＬＣＤ（Ｌｉｑｕｉｄ  Ｃｒｙｓｔａｌ  Ｄｉｓｐｌａｙ）等からなり、各種の画面情報を表示する表示手段として機能する。スピーカ１２２は、外部に対して音声を出力するものである。
【００４８】
上記した構成を備えるファクシミリ装置１は、ファクシミリ機能を備え、ファクシミリ機能によって、ＰＳＴＮ２１を介してＧ３ファクシミリ装置２２との間で画像データの送受信を行うものである。
【００４９】
図２は、本発明の主要部（通信制御装置に相当する）の一例を示す機能構成図である。ファクシミリ装置１のＣＰＵ１１１は、機能的に、宛先受付部１１１ａ（宛先受付手段に相当する）、禁止設定部１１１ｂ（禁止設定手段に相当する）、第１音声出力部１１１ｃ（第１音声出力手段の一部に相当する）、処理受付部１１１ｄ（処理受付手段に相当する）、第２音声出力部１１１ｅ（第２音声出力手段に相当する）、確認受付部１１１ｆ（確認受付手段に相当する）、実行許可部１１１ｇ（実行許可手段に相当する）、及び処理実行部１１１ｈを備えている。
【００５０】
ファクシミリ装置１のＲＡＭ１１２は、機能的に、宛先情報記憶部１１２ａ（宛先記憶手段に相当する）、設定情報記憶部１１２ｂ、及び音声情報記憶部１１２ｃを備えている。
【００５１】
ここでは、ＣＰＵ１１１が、ＲＯＭ１１３等に予め格納された制御プログラムを読み出して実行することにより、宛先受付部１１１ａ、禁止設定部１１１ｂ、第１音声出力部１１１ｃ、処理受付部１１１ｄ、第２音声出力部１１１ｅ、確認受付部１１１ｆ、実行許可部１１１ｇ、及び処理実行部１１１ｈを含む機能部として機能すると共に、ＲＡＭ１１２を、宛先情報記憶部１１２ａ、設定情報記憶部１１２ｂ、及び音声情報記憶部１１２ｃ
を含む機能部として機能させるものである。
【００５２】
次に、ファクシミリ装置１の各機能部について説明する。宛先受付部１１１ａは、宛先を識別する情報であって、複数の文字からなる宛先識別情報を、操作部１２０を介して受け付けるものである。また、宛先受付部１１１ａは、宛先識別情報を構成する文字毎に、宛先識別情報を受け付けものである。具体的には、ここでは、宛先識別情報が、宛先（ファクシミリの送信先）の電話番号情報である場合について説明するが、この場合、宛先受付部１１１ａは、宛先の電話番号情報を１桁毎に、例えば、操作部１２０に配設されたテンキーを介して受け付けるものである。
【００５３】
また、宛先受付部１１１ａは、宛先の電話番号情報に対応する短縮番号情報（又は短縮キーの識別情報）及び宛先名（例えば、会社名、部署名、個人の氏名等）を、例えば、表示部１２１に配設されたＬＣＤにボタン等を表示し、操作部１２０に配設されたタッチパネルを介してボタン等の押下（＝選択操作入力）を受け付けることにより受け付けるものである。
【００５４】
更に、宛先受付部１１１ａは、複数の宛先識別情報（ここでは、電話番号情報、又は、短縮番号情報）を受け付け可能に構成されている。具体的には、ここでは、宛先受付部１１１ａは、複数の電話番号情報（又は、短縮番号情報）を受け付けて、結果として、対応する複数の（例えば、５箇所の）宛先に、同一の画像データを送信することが可能に構成されている。すなわち、宛先受付部１１１ａは、複数の宛先の電話番号情報（又は、短縮番号情報）を連続して受け付けて、画像データの送信先の電話番号情報（宛先情報記憶部１１２ａに格納された短縮番号情報に対応する電話番号情報）としてＲＡＭ１１２の所定の領域（以下、宛先一時記憶領域という：図示省略）に格納するものであり、処理実行部１１１ｈは、後述するように、ＲＡＭ１１２に格納された複数の送信先の電話番号を順次読み出し、読み出された電話番号を発呼して通信可能状態として、同一の画像データを送信するものである。
【００５５】
つまり、短縮番号（及び宛先名）を登録する（以下、登録処理という）場合には、宛先受付部１１１ａは、宛先の電話番号情報と、短縮番号情報及び宛先名を受け付けるものであって、受け付けられた情報は、後述するように、処理実行部１１１ｈによって、宛先情報記憶部１１２ａに格納することにより登録される。また、ファクシミリを送信する（以下、送信処理という）場合には、宛先受付部１１１ａは、宛先の電話番号情報を受け付けるものであって（又は、短縮番号情報及び宛先名のいずれか一方を受け付けて、対応する電話番号情報を宛先情報記憶部１１２ａから読み出すものであって）、後述するように、受け付けられた電話番号に対して、処理実行部１１１ｈによって、ファクシミリが送信される。
【００５６】
禁止設定部１１１ｂは、第１音声出力部１１１ｃ及び第２音声出力部１１１ｅの音声の出力を、それぞれ、禁止するか否かを設定するものである。具体的には、ここでは、禁止設定部１１１ｂは、表示部１２１に配設されたＬＣＤに出力ＯＮ、出力ＯＦＦ等のボタンを表示し、操作部１２０に配設されたタッチパネルを介して出力ＯＮ、出力ＯＦＦ等ボタン等の押下（＝選択操作入力）を受け付けることにより第１音声出力部１１１ｃ及び第２音声出力部１１１ｅの音声の出力を禁止するか否かを設定し、設定された結果を設定情報記憶部１１２ｂに格納するものである。例えば、第１音声出力に関して出力ＯＦＦの設定が行われている場合には、第１音声出力部１１１ｃからの音声出力が禁止される（＝第１音声出力部１１１ｃから音声出力が行われない）。
【００５７】
第１音声出力部１１１ｃは、宛先受付部１１１ａによって、宛先識別情報（ここでは、宛先の電話番号情報）が受け付けられる度に、受け付けられた宛先識別情報に対応する音声を出力するものである。また、第１音声出力部１１１ｃは、宛先受付部１１１ａによって、宛先識別情報を構成する各文字の情報が受け付けられる度に、受け付けられた各文字の情報に対応する音声を出力するものである。更に、第１音声出力部１１１ｃは、宛先受付部１１１ａによって、複数の宛先識別情報が受け付けられる場合には、宛先受付部１１１ａによって、１の宛先識別情報が受け付けられる度に、受け付けられた宛先識別情報に対応する音声を出力するものである。ただし、禁止設定部１１１ｂによって、第１音声出力部１１１ｃに対して音声を出力しない旨の設定がされている場合には、第１音声出力部１１１ｃは、その設定に従うものである（音声を出力しない）。
【００５８】
具体的には、ここでは、第１音声出力部１１１ｃは、宛先受付部１１１ａによって、宛先の電話番号情報が受け付けられる度に、宛先の電話番号情報を１桁毎に、その電話番号情報に対応する音声を、音声情報記憶部１１２ｃから読み出してスピーカ１２２を介して出力するものである。また、第１音声出力部１１１ｃは、宛先受付部１１１ａによって、登録された短縮番号情報が受け付けられる場合には、宛先受付部１１１ａによって、１の宛先識別情報が受け付けられる度に、受け付けられた宛先識別情報に対応する音声（ここでは、宛先情報記憶部１１２ａに格納されている宛先名情報及び電話番号情報に対応する音声）を、スピーカ１２２を介して出力するものである。
【００５９】
処理受付部１１１ｄは、宛先受付部１１１ａによって、宛先識別情報が受け付けられた後に、所定の処理（ここでは、登録処理又は送信処理）の実行を指示する旨の情報である実行指示情報を受け付けるものである。具体的には、送信処理を実行する場合には、処理受付部１１１ｄは、操作部１２０に配設されたスタートキーを介して、スタートキーが押下されたことで実行指示情報を受け付け、登録処理を実行する場合には、処理受付部１１１ｄは、操作部１２０のテンキーを介して、短縮番号が押下されたことで実行指示情報を受け付けるものである。
【００６０】
第２音声出力部１１１ｅは、処理受付部１１１ｄによって実行指示情報が受け付けられた場合に、宛先識別情報に対応する音声を出力するものである。ただし、禁止設定部１１１ｂによって、第２音声出力部１１１ｅに対して音声を出力しない旨の設定がされている場合には、第２音声出力部１１１ｅは、その設定に従うものである（音声を出力しない）。
【００６１】
具体的には、処理受付部１１１ｄによって実行指示情報が受け付けられた場合に、第２音声出力部１１１ｅは、宛先受付部１１１ａによって、宛先の電話番号情報が受け付けられる場合には、宛先の電話番号情報に対応する音声を音声情報記憶部１１２ｃから読み出してスピーカ１２２を介して出力するものである。また、宛先受付部１１１ａによって、登録された短縮番号情報が受け付けられる場合には、第２音声出力部１１１ｅは、宛先受付部１１１ａによって、受け付けられた宛先識別情報に対応する音声（ここでは、宛先情報記憶部１１２ａに格納されている宛先名情報及び電話番号情報に対応する音声）を、スピーカ１２２を介して出力するものである
【００６２】
確認受付部１１１ｆは、第２音声出力部１１１ｅによって出力された音声が、ユーザの所望する宛先識別情報と一致していることを確認する旨の確認情報を受け付けるものである。ここでは、確認受付部１１１ｆは、第２音声出力部１１１ｅによって音声が出力された後に、操作部１２０に配設されたスタートキーを介して、スタートキーが押下されたことで確認情報を受け付けるものである。
【００６３】
実行許可部１１１ｇは、確認受付部１１１ｆによって、確認情報が受け付けられた場合に限って、処理実行部１１１ｈによる所定の処理（ここでは、登録処理又は送信処理）の実行を許可するものである。
【００６４】
処理実行部１１１ｈは、実行許可部１１１ｇによって所定の処理（ここでは、登録処理又は送信処理）の実行が許可された場合に、所定の処理（ここでは、登録処理又は送信処理）を実行するものである。
【００６５】
宛先情報記憶部１１２ａは、宛先識別情報と、宛先名情報及び短縮番号情報とを対応付けて格納するものである。ここでは、宛先情報記憶部１１２ａは、処理実行部１１１ｈによって登録処理が実行された宛先名情報、宛先の電話番号情報、及び短縮番号情報をそれぞれ対応付けて格納するものである。
【００６６】
設定情報記憶部１１２ｂは、禁止設定部１１１ｂによって設定された、第１音声出力部１１１ｃ及び第２音声出力部１１１ｅの音声の出力を、それぞれ、禁止するか否かの設定を格納するものである。
【００６７】
音声情報記憶部１１２ｃは、第１音声出力部１１１ｃ及び第２音声出力部１１１ｅによって出力される音声に対応する音声データを格納するものである。例えば、音声情報記憶部１１２ｃは、「０」、「１」〜「９」に対応する音声データとして、「ゼロ」、「イチ」〜「キュウ」を格納する。なお、この音声情報記憶部１１２ｃに格納されている音声データをＲＯＭ１１３に格納しておくようにしてもよい。
【００６８】
図３は、ファクシミリ装置１の動作の一例を示すフローチャートである。なお、ここでは、便宜上、禁止設定部１１１ｂによって、第１音声出力部１１１ｃ及び第２音声出力部１１１ｅの音声の出力を禁止するか否かの設定が予め行われており、設定情報記憶部１１２ｂに格納されているものとする。
【００６９】
まず、宛先受付部１１１ａによって、短縮番号等の登録処理を行うか否かの判定が行われる（Ｓ１）。ここで、登録処理をすると判定された場合（Ｓ１：ＹＥＳ）、登録処理が行われる（Ｓ３、図４参照）。逆に登録処理を行わないと判定された場合（Ｓ１：ＮＯ）、又は、Ｓ３の処理が終了した場合には、宛先受付部１１１ａによって、ファクシミリを送信する（＝送信処理を実行する）か否かの判定が行われる（Ｓ５）。
【００７０】
このＳ５において、送信処理を実行すると判定された場合（Ｓ５：ＹＥＳ）、宛先受付部１１１ａによって、短縮番号を使用して宛先を指定するか否かの判定が行われる（Ｓ７）。ここで、短縮番号を使用しない（＝電話番号を入力する）と判定された場合（Ｓ７：ＮＯ）、電話番号を入力する送信処理（以下、第１送信処理という）が行われる（Ｓ９、図５参照）。逆に、短縮番号を使用すると判定された場合（Ｓ７：ＹＥＳ）、短縮番号を使用する送信処理（以下、第２送信処理という）が行われる（Ｓ１１、図６参照）。
【００７１】
Ｓ５でＮＯの判定がなされた場合、又は、Ｓ９若しくはＳ１１の処理が終了した場合には、宛先受付部１１１ａによって、ファクシミリを受信するか否かの判定が行われる（Ｓ１３）。ここで、ファクシミリを受信すると判定された場合（Ｓ１３：ＹＥＳ）、受信処理が実行される（Ｓ１５）。逆に、Ｓ１３でＮＯの判定がなされた場合、又は、Ｓ１５の処理が終了した場合には、処理がＳ１に戻され、Ｓ１以降の処理が繰り返し実行される。
【００７２】
図４は、図３に示すフローチャートのＳ３で実行される登録処理の一例を示す詳細フローチャートである。ここでは、便宜上、登録処理において、宛先の電話番号情報と短縮番号情報とを対応付けて宛先情報記憶部１１２ａに格納する場合について説明する（すなわち、宛先名情報を対応付けて格納する処理に関しては、その記載を省略する）。
【００７３】
まず、宛先受付部１１１ａによって、操作部１２０を介して宛先の電話番号情報の１桁が受け付けられたか否かの判定が行われる（Ｓ３０１）。ここで、電話番号情報の１桁が受け付けられていないと判定された場合（Ｓ３０１：ＮＯ）、処理が待機状態とされる。逆に、電話番号情報の１桁が受け付けられたと判定された場合（Ｓ３０１：ＹＥＳ）、第１音声出力部１１１ｃによって、禁止設定部１１１ｂにより第１音声出力部１１１ｃに対して音声を出力する旨の設定がされているか否かの判定が行われる（Ｓ３０３）。音声を出力する旨の設定がされていない場合（Ｓ３０３：ＮＯ）、処理がＳ３０９に進められる。
【００７４】
Ｓ３０３において、音声を出力する旨の設定がされている場合（Ｓ３０３：ＹＥＳ）、第１音声出力部１１１ｃによって、Ｓ３０１で受け付けられた電話番号情報の１桁に対応する音声データが、音声情報記憶部１１２ｃから読み出される（Ｓ３０５）。そして、第１音声出力部１１１ｃによって、読み出された音声データに対応する音声がスピーカ１２２を介して出力される（Ｓ３０７）。
【００７５】
次に、Ｓ３０７の処理が終了した場合、又は、Ｓ３０３でＮＯの判定がなされた場合には、処理受付部１１１ｄによって、操作部１２０を介して短縮番号が受け付けられたか否かの判定が行われる（Ｓ３０９）。ここで、短縮番号が受け付けられていないと判定された場合（Ｓ３０９：ＮＯ）、処理がＳ３０１に戻され、Ｓ３０１以降の処理が繰り返し実行される。逆に、短縮番号が受け付けられたと判定された場合（Ｓ３０９：ＹＥＳ）、第２音声出力部１１１ｅによって、禁止設定部１１１ｂにより第２音声出力部１１１ｅに対して音声を出力する旨の設定がなされているか否かの判定が行われる（Ｓ３１１）。ここで、音声を出力する旨の設定がなされていない場合（Ｓ３１１：ＮＯ）、処理がＳ３１７に進められる。
【００７６】
Ｓ３１１において、音声を出力する旨の設定がなされている場合（Ｓ３１１：ＹＥＳ）、第２音声出力部１１１ｅによって、Ｓ３０１で受け付けられた電話番号情報の全体に対応する音声データ（例えば、電話番号情報が１０桁の電話番号を示す情報である場合には、１０個の数字に対応する音声データ）が、音声情報記憶部１１２ｃから読み出される（Ｓ３１３）。そして、第２音声出力部１１１ｅによって、読み出された音声データに対応する音声がスピーカ１２２を介して出力される（Ｓ３１５）。
【００７７】
続いて、Ｓ３１５の処理が終了した場合、又は、Ｓ３１１でＮＯの判定がなされた場合、確認受付部１１１ｆによって、操作部１２０を介して確認情報が受け付けられた（＝スタートキーが押下された）か否かの判定が行われる（Ｓ３１７）。ここで、確認情報が受け付けられていない（例えば、キャンセルキーが押下された）と判定された場合（Ｓ３１７：ＮＯ）、処理がリターンされる。逆に、確認情報が受け付けられたと判定された場合（Ｓ３１９：ＹＥＳ）、処理実行部１１１ｈによって、宛先情報記憶部１１２ａに、Ｓ３０１で受け付けられた電話番号情報とＳ３０９で受け付けられた短縮番号情報とが対応付けて格納され（Ｓ３１９）、処理がリターンされる。
【００７８】
図５は、図３に示すフローチャートのＳ９で実行される第１送信処理の一例を示す詳細フローチャートである。まず、宛先受付部１１１ａによって、操作部１２０を介して宛先の電話番号情報の１桁が受け付けられたか否かの判定が行われる（Ｓ９０１）。ここで、電話番号情報の１桁が受け付けられていないと判定された場合（Ｓ９０１：ＮＯ）、処理が待機状態とされる。逆に、電話番号情報の１桁が受け付けられたと判定された場合（Ｓ９０１：ＹＥＳ）、第１音声出力部１１１ｃによって、禁止設定部１１１ｂにより第１音声出力部１１１ｃに対して音声を出力する旨の設定がなされているか否かの判定が行われる（Ｓ９０３）。ここで、音声を出力する旨の設定がなされていない場合（Ｓ９０３：ＮＯ）、処理がＳ９０９に進められる。
【００７９】
Ｓ９０３において、音声を出力する旨の設定がなされている場合（Ｓ９０３：ＹＥＳ）、第１音声出力部１１１ｃによって、Ｓ９０１で受け付けられた電話番号情報の１桁に対応する音声データが、音声情報記憶部１１２ｃから読み出される（Ｓ９０５）。そして、第１音声出力部１１１ｃによって、読み出された音声データに対応する音声がスピーカ１２２を介して出力される（Ｓ９０７）。
【００８０】
次に、Ｓ９０７の処理が終了した場合、又は、Ｓ９０３でＮＯの判定がなされた場合には、処理受付部１１１ｄによって、操作部１２０を介して実行指示情報が受け付けられたか否か（スタートキーが押下されたか否か）の判定が行われる（Ｓ９０９）。ここで、スタートキーが押下されていないと判定された場合（Ｓ９０９：ＮＯ）、処理がＳ９０１に戻され、Ｓ９０１以降の処理が繰り返し実行される。逆に、スタートキーが押下されたと判定された場合（Ｓ７０９：ＹＥＳ）、第２音声出力部１１１ｅによって、禁止設定部１１１ｂにより第２音声出力部１１１ｅに対して音声を出力する旨の設定がなされているか否かの判定が行われる（Ｓ９１１）。ここで、音声を出力する旨の設定がなされていない場合（Ｓ７１１：ＮＯ）、処理がＳ９１７に進められる。
【００８１】
一方、音声を出力する旨の設定がなされている場合（Ｓ７１１：ＹＥＳ）、第２音声出力部１１１ｅによって、Ｓ９０１で受け付けられた電話番号情報の全体に対応する音声データ（例えば、電話番号情報が１０桁の電話番号を示す情報である場合には、１０個の数字に対応する音声データ）が、音声情報記憶部１１２ｃから読み出される（Ｓ９１３）。そして、第２音声出力部１１１ｅによって、読み出された音声データに対応する音声がスピーカ１２２を介して出力される（Ｓ９１５）。
【００８２】
続いて、Ｓ９１５の処理が終了した場合、又は、Ｓ９１１でＮＯの判定がなされた場合、確認受付部１１１ｆによって、操作部１２０を介して確認情報が受け付けられた（＝スタートキーが押下された）か否かの判定が行われる（Ｓ９１７）。ここで、確認情報が受け付けられていない（例えば、キャンセルキーが押下された）と判定された場合（Ｓ９１７：ＮＯ）、処理がリターンされる。逆に、確認情報が受け付けられたと判定された場合（Ｓ９１７：ＹＥＳ）、処理実行部１１１ｈによって、Ｓ９０１で受け付けられた電話番号に対して発呼され、画像データがファクシミリとして送信され（Ｓ９１９）、処理がリターンされる。
【００８３】
図６は、図３に示すフローチャートのＳ１１で実行される第２送信処理の一例を示す詳細フローチャートである。まず、宛先受付部１１１ａによって、操作部１２０を介して宛先の電話番号に対応する短縮番号情報が受け付けられたか否かの判定が行われる（Ｓ１１０１）。ここで、短縮番号情報が受け付けられていないと判定された場合（Ｓ１１０１：ＮＯ）、処理が待機状態とされる。逆に、短縮番号情報が受け付けられたと判定された場合（Ｓ１１０１：ＹＥＳ）、第１音声出力部１１１ｃによって、禁止設定部１１１ｂにより第１音声出力部１１１ｃに対して音声を出力する旨の設定がなされているか否かの判定が行われる（Ｓ１１０３）。ここで、音声を出力する旨の設定がなされていない場合（Ｓ１１０３：ＮＯ）、処理がＳ１１０９に進められる。
【００８４】
一方、音声を出力する旨の設定がなされている場合（Ｓ１１０３：ＹＥＳ）、第１音声出力部１１１ｃによって、Ｓ１１０１で受け付けられた短縮番号情報に対応する宛先名情報及び電話番号情報が宛先情報記憶部１１２ａから読み出され、更に、宛先名情報及び電話番号情報に対応する音声データが音声情報記憶部１１２ｃから読み出される（Ｓ１１０５）。そして、第１音声出力部１１１ｃによって、読み出された音声データに対応する音声がスピーカ１２２を介して出力される（Ｓ１１０７）。
【００８５】
次に、Ｓ１１０７の処理が終了した場合、又は、Ｓ１１０３でＮＯの判定がなされた場合には、処理受付部１１１ｄによって、操作部１２０を介して実行指示情報が受け付けられたか否か（スタートキーが押下されたか否か）の判定が行われる（Ｓ１１０９）。ここで、スタートキーが押下されていないと判定された場合（Ｓ１１０９：ＮＯ）、処理がＳ１１０１に戻され、Ｓ１１０１以降の処理が繰り返し実行される。逆に、スタートキーが押下されたと判定された場合（Ｓ１１０９：ＹＥＳ）、第２音声出力部１１１ｅによって、禁止設定部１１１ｂにより第２音声出力部１１１ｅに対して音声を出力する旨の設定がなされているか否かの判定が行われる（Ｓ１１１１）。ここで、音声を出力する旨の設定がなされていない場合（Ｓ１１１１：ＮＯ）、処理がＳ１１１７に進められる。
【００８６】
逆に、音声を出力する旨の設定がなされている場合（Ｓ１１１１：ＹＥＳ）、第２音声出力部１１１ｅによって、Ｓ１１０１で受け付けられた短縮番号情報に対応する宛先名情報及び電話番号情報が宛先情報記憶部１１２ａから読み出され、更に、宛先名情報及び電話番号情報に対応する音声データが音声情報記憶部１１２ｃから読み出される（Ｓ１１１３）。ここで、Ｓ１１０１で受け付けられた短縮番号情報が複数（例えば、５個）ある場合には、その複数分（例えば、５個分）の短縮番号に対応する宛先名情報及び電話番号情報に対応する音声データが読み出される。そして、第２音声出力部１１１ｅによって、読み出された音声データに対応する音声がスピーカ１２２を介して出力される（Ｓ１１１５）。
【００８７】
続いて、Ｓ１１１５の処理が終了した場合、Ｓ１１１１でＮＯの判定がなされた場合、又は、後述するＳ１１２１でＹＥＳの判定がなされた場合には、確認受付部１１１ｆによって、操作部１２０を介して確認情報が受け付けられた（＝スタートキーが押下された）か否かの判定が行われる（Ｓ１１１７）。ここで、確認情報が受け付けられていない（例えば、キャンセルキーが押下された）と判定された場合（Ｓ１１１７：ＮＯ）、宛先受付部１１１ａによって、操作部１２０を介して操作入力が受け付けられて、宛先を削除するか否かの判定が行われる（Ｓ１１１９）。
【００８８】
ここで、宛先を削除すると判定された場合（Ｓ１１１９：ＹＥＳ）、宛先受付部１１１ａによって、Ｓ１１１９で削除するとして指定された短縮番号情報と、その短縮番号情報に対応する宛先名情報及び電話番号情報とがＲＡＭ１１２の宛先一時記憶領域から削除され、更に、宛先受付部１１１ａによって、ＲＡＭ１１２の宛先一時記憶領域にＳ１１０１で受け付けられた短縮番号情報が残存しているか否かの判定が行われる（Ｓ１１２１）。すなわち、Ｓ１１０１で受け付けられた短縮番号情報が複数ある場合には、１個の短縮番号情報が削除されても、少なくとも１個の短縮番号情報が残存するため、残存している短縮番号情報に対応する宛先へファクシミリ送信することが可能である。
【００８９】
一方、短縮番号情報が残存していると判定された場合（Ｓ１１２１：ＹＥＳ）には、処理がＳ１１１７に戻される。逆に、短縮番号情報が残存していないと判定された場合（Ｓ１１２１：ＮＯ）には、処理がＳ１１０１に戻され、Ｓ１１０１以降の処理が繰り返し実行される。確認情報が受け付けられたと判定された場合（Ｓ１１１７：ＹＥＳ）には、処理実行部１１１ｈによって、Ｓ１１０１で受け付けられた短縮番号に対応する電話番号に対して発呼され（Ｓ１１０１で複数の短縮番号が受け付けられた場合には、その複数の短縮番号に対応する複数の電話番号に対して順次発呼され）、画像データがファクシミリとして送信され（Ｓ１１２３）、処理がリターンされる。
【００９０】
このようにして、宛先識別情報（ここでは、電話番号情報）が受け付けられる度に、受け付けられた電話番号情報に対応する音声が出力され、実行指示情報（ここでは、スタートキーが押下された旨の情報）が受け付けられた場合に、電話番号情報に対応する音声が出力されるため、ユーザは、電話番号情報を、それに対応する音声によって２回確認することが可能となり、間違った宛先（＝間違った電話番号情報に対応する宛先）に対して所定の処理を実行する（ここでは、ファクシミリを送信する、又は、短縮番号及び宛先名を登録する）ことが効果的に防止される。
【００９１】
また、実行指示情報（ここでは、スタートキーが押下された旨の情報）が受け付けられた場合に、電話番号情報に対応する音声に加えて、宛先名情報に対応する音声が出力されるため、ユーザは、電話番号情報に対応する音声に加えて、宛先名情報に対応する音声によって、宛先を確認することが可能となり、間違った宛先に対して所定の処理を実行する（ここでは、ファクシミリを送信する、又は、短縮番号及び宛先名を登録する）ことが更に効果的に防止される。
【００９２】
さらに、電話番号情報を構成する各数字の情報が受け付けられる度に、受け付けられた各数字の情報に対応する音声が出力されるため、ユーザは、電話番号情報を構成する数字毎に、宛先を確認することが可能となり、間違った宛先に対して所定の処理を実行する（ここでは、ファクシミリを送信する、又は、短縮番号及び宛先名を登録する）ことが更に効果的に防止される。
【００９３】
加えて、１箇所の宛先に対応する電話番号情報が受け付けられる度に、受け付けられた電話番号情報に対応する音声が出力されるため、複数の電話番号情報を受け付ける場合（ここでは、複数の宛先に同時に同一の画像データをファクシミリ送信する場合）にも、電話番号情報毎に宛先を確認することが可能となる。
【００９４】
また、第２音声出力部１１１ｅにより出力された音声がユーザの所望する宛先識別情報と一致していることを確認する旨の確認情報（ここでは、スタートキーが押下された旨の情報）が受け付けられた場合に限って、所定の処理（ここでは、ファクシミリを送信する、又は、短縮番号及び宛先名を登録する）の実行が許可されるため、確認情報が受け付けられるまで所定の処理が実行されないので、間違った宛先に対して所定の処理を実行することが更に効果的に防止される。
【００９５】
さらに、第１音声出力部１１１ｃ及び第２音声出力部１１１ｅの音声の出力を禁止するか否かが設定されるため、利便性が向上される。
【００９６】
なお、本発明は、上記実施形態に限定されるものではなく、以下の形態でもよい。本実施形態においては、画像形成装置がファクシミリ装置１である場合について説明したが、画像形成装置がファクシミリ機能及びインターネットファクシミリ機能の少なくとも一方を有する複合機である形態でもよい。
【００９７】
また、本実施形態においては、宛先識別情報が電話番号情報である場合について説明したが、宛先識別情報がメールアドレス情報である形態でもよい。すなわち、インターネットファクシミリ機能により、インターネット（通信回線の一例）を介して、画像データを所定のメールアドレスへ送信する場合、及び、メールアドレスを宛先名情報及び短縮番号情報と対応付けて格納する場合にも、本発明は適用可能である。
【００９８】
また、本実施形態においては、第１音声出力部１１１ｃが、電話番号情報を１桁毎に、その電話番号情報に対応する音声を出力する場合について説明したが、その他の方法で音声を出力する形態でもよい。例えば、電話番号情報全体が受け付けられた時点で、第１音声出力部１１１ｃが、まとめて電話番号情報に対応する音声を出力する形態でもよいし、第１音声出力部１１１ｃが、市外局番と、その他の番号とを分けて、それぞれに対応する音声を出力する形態でもよい。
【００９９】
また、本実施形態においては、処理受付部１１１ｄが、スタートキーが押下されたことで実行指示情報を受け付ける場合について説明したが、その他の方法で実行指示情報を受け付ける形態でもよい。例えば、スタートキー以外の特定のキーの押下を受け付ける形態でもよいし、ＬＣＤに表示された所定のボタンの押下を受け付ける形態でもよい。
【０１００】
また、本実施形態においては、宛先受付部１１１ａによって登録された短縮番号情報が受け付けられる際に、第２音声出力部１１１ｅが、宛先名情報及び電話番号情報に対応する音声を出力する場合について説明したが、第２音声出力部１１１ｅが宛先名情報及び電話番号情の少なくとも一方を出力する形態でもよい。この場合には、処理が簡略化される。
【０１０１】
また、本実施形態においては、宛先情報記憶部１１２ａが、宛先名情報、宛先の電話番号情報、及び短縮番号情報を対応付けて格納する場合について説明したが、電話番号情報に短縮番号情報を対応付けて格納する形態でもよい。この場合には、記憶領域が削減される。また、短縮番号情報に、宛先名情報及び宛先の電話番号情報に加えて他の情報を対応付けて格納する形態でもよい。例えば、関係者氏名情報、ＩＤ情報を短縮番号情報と対応付けて格納し、短縮番号を使用する場合に、氏名情報とＩＤ情報とを用いて個人認証を行い、個人認証にパスした場合に短縮番号の使用を許可する形態でもよい。
【０１０２】
また、本実施形態においては、第１音声出力部１１１ｃ及び第２音声出力部１１１ｅが、音声情報記憶部１１２ｃから音声データを読み出して音声を出力する場合について説明したが、第１音声出力部１１１ｃ及び第２音声出力部１１１ｅが音声合成処理を行い、音声データを生成して音声を出力する形態でもよい。
【図面の簡単な説明】
【０１０３】
【図１】本発明に係るファクシミリ装置の一例を示す構成図である。
【図２】本発明の主要部の一例を示す機能構成図である。
【図３】ファクシミリ装置の動作の一例を示すフローチャートである。
【図４】図３に示すフローチャートのＳ３で実行される登録処理の一例を示す詳細フローチャートである。
【図５】図３に示すフローチャートのＳ９で実行される第１送信処理の一例を示す詳細フローチャートである。
【図６】図３に示すフローチャートのＳ１１で実行される第２送信処理の一例を示す詳細フローチャートである。
【符号の説明】
【０１０４】
１  ファクシミリ装置（画像形成装置）
１１１  ＣＰＵ（通信制御装置の一部）
１１１ａ  宛先受付部（宛先受付手段）
１１１ｂ  禁止設定部（禁止設定手段）
１１１ｃ  第１音声出力部（第１音声出力手段）
１１１ｄ  処理受付部（処理受付手段）
１１１ｅ  第２音声出力部（第２音声出力手段）
１１１ｆ  確認受付部（確認受付手段）
１１１ｇ  実行許可部（実行許可手段）
１１１ｈ  処理実行部
１１２  ＲＡＭ
１１２ａ  宛先情報記憶部（宛先記憶手段）
１１２ｂ  設定情報記憶部
１１２ｃ  音声情報記憶部
１２０  操作部
１２２  スピーカ（第１音声出力手段の一部、及び、第２音声出力手段の一部）
【図１】
2007104196.tif 000003
【図２】
2007104196.tif 000004
【図３】
2007104196.tif 000005
【図４】
2007104196.tif 000006
【図５】
2007104196.tif 000007
【図６】
2007104196.tif 000008